(57)【要約】      （修正有）【課題】大きなコストアップにならず、出し入れが容易なバッグの前面側収納部に貴重品を収容していても、スリ犯から確実に貴重品を守ることができる防犯バッグを提供すること。【解決手段】バファスナー３にバックル４を構成する雄・雌部材４１，４０のうちの一方を、バッグ本体にバックルを構成する雄・雌部材４１，４０のうちの他方を、それぞれ離脱不能に取り付け、ファスナー３のスライダー３０が閉位置又は略閉位置にあるときにのみ雄・雌部材４１，４０相互が連結できるようにしてあり、前記雄・雌部材４１，４０相互の結合部分は視認不能となるように被覆部２５で覆ってある。【選択図面】図２
0003114913.tif 000002
【実用新案登録請求の範囲】
【請求項１】
バッグ本体の前面側収納部がファスナーにより開閉できる形式のバッグであって、ファスナーにバックルを構成する雄・雌部材のうちの一方を、バッグ本体にバックルを構成する雄・雌部材のうちの他方を、それぞれ離脱不能に取り付け、ファスナーのスライダーが閉位置又は略閉位置にあるときにのみ雄・雌部材相互が連結できるようにしてあり、前記雄・雌部材相互の結合部分は視認不能となるように被覆部で覆ってあることを特徴とする防犯バッグ。
【請求項２】
バックルは、樹脂により構成されていることを特徴とする請求項１記載の防犯バッグ。
【考案の詳細な説明】
【技術分野】
【０００１】
この考案は、貴重品をスリ犯から守るための防犯バッグに関するものである。
【背景技術】
【０００２】
近年、治安の悪化が進み、人込みや満員電車などにおいてスリ犯罪が多発している。
【０００３】
ところで、女性の衣服は、機能性よりもファッション性が優先される傾向が強いことからポケットが少なく、このため財布等の貴重品はバッグ本体の前面側に設けられた収納部（前面側収納部）に収容して持ち運ばれることが多い。このように、バッグ鞄の前面側収納部にあえて収容するのは貴重品の出し入れが容易であることに起因する。
【０００４】
スリ犯は上記のことを熟知しており、人込みを利用してバッグの前面側収納部（バッグを持ったときに身体に接する面と反対側の面に位置する）の閉具であるファスナーを気づかれることなく開けることによって貴重品などを盗み取る手口を採っている。
【０００５】
なお、スリ犯からバッグ内に収容させた貴重品を守る方法としては、例えば人込みや満員電車などにおいてバッグの前面側収容部を手で押さえるということが考えられるが、常時気を付けることは不可能であり、また、かえってスリ犯の目を引く可能性もある。
【０００６】
したがって、バッグを取り扱う業界では、大きなコストアップにならず、出し入れが容易なバッグの前面側収納部に貴重品を収容していても、スリ犯から確実に貴重品を守ることができる防犯バッグの開発に取り組んでいる。
【考案の開示】
【考案が解決しようとする課題】
【０００７】
そこで、この考案では、大きなコストアップにならず、出し入れが容易なバッグの前面側収納部に貴重品を収容していても、スリ犯から確実に貴重品を守ることができる防犯バッグを提供することを課題とする。
【課題を解決するための手段】
【０００８】
〔請求項１記載の考案〕
この考案は、バッグ本体の前面側収納部がファスナーにより開閉できる形式のバッグであって、ファスナーにバックルを構成する雄・雌部材のうちの一方を、バッグ本体にバックルを構成する雄・雌部材のうちの他方を、それぞれ離脱不能に取り付け、ファスナーのスライダーが閉位置又は略閉位置にあるときにのみ雄・雌部材相互が連結できるようにしてあり、前記雄・雌部材相互の結合部分は視認不能となるように被覆部で覆ってある。
〔請求項２記載の考案〕
この考案の防犯バッグは、上記請求項１記載の考案に関し、バックルは、樹脂により構成されている。
【考案の効果】
【０００９】
本考案の防犯バッグを用いると、大きなコストアップにならず、出し入れが容易なバッグの前面側収納部に貴重品を収容していても、スリ犯から確実に貴重品を守ることができる。
【考案を実施するための最良の形態】
【００１０】
以下にこの考案の防犯バッグを実施するための最良の形態としての実施例について詳細に説明する。
【実施例１】
【００１１】
図１はこの考案の防犯バッグＢの正面図、図２は前記防犯バッグＢのバックルの雄・雌部材相互が分離状態にあるときの部分拡大図、図３は前記防犯バッグＢのバックルの雄・雌部材相互が連結状態にあるときの部分拡大図を示している。
（この防犯バッグＢの構成について）
この防犯バッグＢは、図１に示すように、比較的柔らかい生地を縫製してなるポーチ形態のソフトバッグであり、大容量の収納部１と、前記収納部１の前面側に設けられた小容量の前面側収納部２とから構成されていると共に、前記前面側収納部２の不用意な開操作を阻止するバックル４を備えている。
【００１２】
以下に、この防犯バッグＢを構成する収納部１、前面側収納部２及びバックル４等について詳述する。
【００１３】
収納部１は、図１に示すように、前壁部１０、後壁部１１、両マチ部１２，１２、底壁部１３及び上壁部１４から構成されており、前記上壁部１４から両マチ部１２，１２にかけた部分に連続するファスナー（図示せず）を設けてある。したがって、この防犯バッグＢでは、前記ファスナーを開けると上方に収納口が大きく開くことになる。
【００１４】
上記収納部１を構成する上壁部１４には、図１に示すように把手１５をリベット止めしてあり、また、マチ部１２，１２の上域には同図に示すように肩ベルトを取り付けるためのフック１６をそれぞれ取り付けてある。
【００１５】
前面側収容部２は、図１に示すように、前壁部２０、上記前壁部１０を共有して成る後壁部２１、両マチ部２２，２２、底壁部２３及び上壁部２４から構成されており、全体としては正面視で前壁部１０よりも小さく且つ幅狭に形成されている。また、この前面側収納部２には、図１に示すように、前壁部２０の上域にファスナー３を設けてあり、前記ファスナー３におけるスライダー３０の引手３１を鋼線で長円形状に形成されたものとしてある。前記引手３１には、強度のある生地で構成されたリング４８を介してバックル４の雌部材４０が取り付けられており、他方、前壁部１０の四隅のうちの左上部分に、強度のある生地で構成されたリング４９を介してバックル４の雄部材４１が取り付けられている。なお、前記リング４９及び雄部材４１は前壁部１０の四隅のうちの左上部分に形成した被覆部２５により視認不能に隠れた状態になっており、バックル４の雌部材４０と雄部材４１の連結状態では、スライダー３０が開く方向にはほとんど移動できないようになっている。
【００１６】
ここで、上記バックル４の連結及びその解除については以下に示す操作をすればよい（図２、図３参照）。すなわち、このバックル４では、連結操作は、雄部材４１のガイド４１ａ、弾性腕４１ｂ，４１ｂを、雌部材４０の孔４０ａに押し込むだけでよく、当該押込み後は、弾性腕４１ｂ，４１ｂが側孔４０ｂ，４０ｂの構成壁に引っ掛かった連結状態が維持される。前記連結状態を解除する場合は、弾性腕４１ｂ，４１ｂ相互を接近させる方向に指で押し込み、雄部材４０に対して雌部材４１に引き抜き力を加えると、上記連結は解除できる。
（この防犯バッグＢの機能について）
この防犯バッグBは、以下に示す如く優れた機能を有する。
(1)スリ犯は、人込みや満員電車において、バッグに身体を押し付けて前面側収納部のファスナーを開いたとほぼ同時に前面側収納部内の貴重品を抜き取ると考えられる。
【００１７】
この防犯バッグＢを用いる場合、従来のバッグ同様に出し入れが容易なバッグの前面側収納部２に貴重品を収容する。次に、図３に示す如く、バックル４の雄・雌部材４１，４０相互を連結状態にする。この状態ではファスナー３を開く方向にスライダー３０をほとんど移動させることができないこととなっている。
【００１８】
上記状態において、人込みや満員電車において、スリ犯がバッグに身体を押し付けて前面側収納部のファスナー３を開こうとしても連結した雄・雌部材４１，４０の存在により当該ファスナー３を開くことができない。よって、前面側収納部２内の貴重品を抜き取ることができない。また、前記リング４９及び雄部材４１は前壁部１０の四隅のうちの左上部分に形成した被覆部２５により視認不能に隠れた状態になっているから、バックル４であることに気付かないか又はたとえ気付いたとしてもバックル４の状態がわからないので雄・雌部材４１，４０相互の連結解除はやりにくい。
【００１９】
つまり、この防犯バッグＢを使用した場合、前面側収納部２に収容された貴重品をスリ犯から守ることができる。
【００２０】
(2)自分自身が、前面側収納部２から貴重品等を取り出す場合は、バックル４の状態を知っているので、バックル４の雄・雌部材４１，４０相互の連結解除の操作は容易にできる。
【００２１】
つまり、自分自身は、容易に貴重品の出し入れができる。
(3)バックル４は汎用のものが使用できるので、ほとんどコストアップになることもなく、また、全体の見栄えの低下もない。
（その他）
上記実施例に関して、バックルにおける雄部材と雌部材とを逆に取り付けるようにしてもよい。
【００２２】
上記形態のバックルにかえて、バックルと呼ばれている公知のものは全て使用できる。
【図面の簡単な説明】
【００２３】
【図１】この考案の防犯バッグの正面図。
【図２】前記防犯バッグのバックルの雄・雌部材相互が分離状態にあるときの部分拡大図。
【図３】前記防犯バッグのバックルの雄・雌部材相互が連結状態にあるときの部分拡大図を示している。
【符号の説明】
【００２４】
Ｂ      防犯バッグ
１      収納部
２      前面側収納部
２０    前壁部
２１    後壁部
２２    マチ部
２３    底壁部
２４    上壁部
２５    被覆部
３      ファスナー
３０    スライダー
３１    引手
４      バックル
４０    雌部材
４１    雄部材
【図１】
0003114913.tif 000003
【図２】
0003114913.tif 000004
【図３】
0003114913.tif 000005